(57)【特許請求の範囲】
【請求項１】
基地局の運用モードを管理する管理方法であって、
可用期間と非可用期間が繰り返されるデフォルトローデューティ運営モード(ｌｏｗ  ｄｕｔｙ  ｏｐｅｒａｔｉｏｎ  ｍｏｄｅ、ＬＤＭ)を設定するステップと、
前記基地局が管理するセル内に端末が存在しないか及び前記セルにネットワークエントリを行っている端末が存在するかを判断するステップと、
前記セル内に前記端末が存在しない場合及び前記ネットワークエントリを行っている端末が存在しない場合に、ＬＤＭで動作するステップとを含み、
前記動作するＬＤＭは、少なくとも１つの可用期間と少なくとも１つの非可用期間とを含み、
前記動作するＬＤＭの前記少なくとも１つの可用期間は、前記デフォルトＬＤＭの前記可用期間とアイドルモードにある端末の可用期間とを含むことを特徴とする管理方法。
【請求項２】
前記少なくとも１つの可用期間で信号伝送が行われ、前記少なくとも１つの非可用期間で信号伝送が行われないことを特徴とする請求項１に記載の管理方法。
【請求項３】
前記動作するステップは、
前記可用期間において、ページング、伝送システム情報伝送、レンジングおよびデータトラフィック伝送のうちの少なくとも１つを行うための信号を伝送するステップを含むことを特徴とする請求項２に記載の管理方法。
【請求項４】
前記基地局は、フェムトセルを管理するフェムト基地局を含むことを特徴とする請求項２に記載の管理方法。
【請求項５】
前記動作するステップは、
前記非可用期間において、前記基地局が含まれているマクロセルを管理するマクロ基地局との同期化を行うステップ、および隣接基地局からの干渉を測定するステップのうちの少なくとも１つを行うステップを含むことを特徴とする請求項４に記載の管理方法。
【請求項６】
基地局の運用モードを管理する管理装置であって、
前記基地局が管理するセル内に端末が存在するか及び前記セルにネットワークエントリを行っている端末が存在するかを判断する判断部と、
前記セル内に端末が存在しない場合及び前記ネットワークエントリを行っている端末が存在しない場合に、前記基地局をローデューティ運営モード（ｌｏｗ  ｄｕｔｙ  ｏｐｅｒａｔｉｏｎ  ｍｏｄｅ、ＬＤＭ）で動作するように制御する制御部と、
可用期間と非可用期間が繰り返されるデフォルトＬＤＭを設定するＬＤＭパターン設定部とを含み、
前記動作するＬＤＭは、少なくとも１つの可用期間と少なくとも１つの非可用期間とを含み、
前記動作するＬＤＭの前記少なくとも１つの可用期間は、前記デフォルトＬＤＭの前記可用期間とアイドルモードにある端末の可用期間とを含むことを特徴とする管理装置。
【請求項７】
前記少なくとも１つの可用期間で信号伝送が行われ、前記少なくとも１つの非可用期間で信号伝送が行われないことを特徴とする請求項６に記載の管理装置。
【請求項８】
前記デフォルトＬＤＭパターンに対する情報を、前記端末のスキャニングのために、隣接基地局に送信する送信部をさらに含むことを特徴とする請求項６に記載の管理装置。
【請求項９】
可用期間と非可用期間が繰り返されるデフォルトローデューティ運営モード（ｌｏｗ  ｄｕｔｙ  ｏｐｅｒａｔｉｏｎ  ｍｏｄｅ、ＬＤＭ）パターンに対する情報を受信する受信部と、
前記デフォルトＬＤＭパターンに基づいて、前記ＬＤＭで運営される前記基地局をスキャニングするスキャニング部とを含み、
前記運営されるＬＤＭは、少なくとも１つの可用期間と少なくとも１つの非可用期間とを含み、
前記運営されるＬＤＭの前記少なくとも１つの可用期間は、前記デフォルトＬＤＭの前記可用期間とアイドルモードにある端末の可用期間とを含むことを特徴とする端末。
【請求項１０】
前記少なくとも１つの可用期間で信号伝送が行われ、前記少なくとも１つの非可用期間で信号伝送が行われないことを特徴とする請求項９に記載の端末。
【請求項１１】
前記スキャニング部は、前記デフォルトＬＤＭパターンに基づいて、ネットワークエントリを行うためのセルスキャニングをさらに行うことを特徴とする請求項９に記載の端末。
【請求項１２】
前記基地局は、フェムトセルを管理するフェムト基地局を含むことを特徴とする請求項９に記載の端末。
【発明の詳細な説明】
【技術分野】
【０００１】
本発明は、基地局の管理装置、管理方法および端末に関する。
【背景技術】
【０００２】
フェムトセル（ｆｅｍｔｏ  ｃｅｌｌ）は、例えば、半径３０ｍ以内の地域を対象として無線通信サービスが提供される領域を意味する。フェムトセルを管理するフェムト基地局（ｆｅｍｔｏ  ｂａｓｅ  ｓｔａｔｉｏｎ）は、事務室や家庭に設けられ、フェムトセルより大きい範囲の地域を対象とする他のセルと同一または異なる周波数を用いる。
【０００３】
一方、基地局は、自身の管理する領域に端末が存在しない時にも、端末が接続される時に備えて、自身の管理する領域に該当するシステム情報を周期的に放送する。フェムトセルの範囲は相対的に小さいため、フェムト基地局がシステム情報を周期的に放送すると、フェムト基地局と同一の周波数を用いる他のセルの基地局または他のフェムト基地局との干渉が発生することがある。また、フェムト基地局がシステム情報を周期的に放送すると、端末が存在しない時にも、無駄な電力を消耗しなければならない。
【０００４】
したがって、フェムト基地局は、接続された端末がない場合、および接続された端末がアイドルモード（ｉｄｌｅ  ｍｏｄｅ）またはスリープモード（ｓｌｅｅｐ  ｍｏｄｅ）の場合には、ローデューティ運営モード（ｌｏｗ  ｄｕｔｙ  ｏｐｅｒａｔｉｏｎ  ｍｏｄｅ、ＬＤＭ）で運用できる。この時、端末の状態に応じて、フェムト基地局のＬＤＭのパターンは多様に設定できるため、端末はＬＤＭで運用されるフェムト基地局をスキャンするためには、フェムト基地局が自身のＬＤＭパターン情報が変化するたびに、これを隣接セルに伝送しなければならない。
【先行技術文献】
【特許文献】
【０００５】
【特許文献１】米国特許出願公開第２００９−０１３５７３７号
【発明の概要】
【発明が解決しようとする課題】
【０００６】
本発明が解決しようとする技術的課題は、基地局がローデューティ運営モード（ｌｏｗ  ｄｕｔｙ  ｏｐｅｒａｔｉｏｎ  ｍｏｄｅ、ＬＤＭ）で運用されている間に、一定に維持されるＬＤＭパターンを設定し、端末がＬＤＭで運用される基地局の情報を周期的に受信しなくても、周辺基地局をスキャン可能にすることにより、通信システムの信号のオーバーヘッドを低減することである。
【課題を解決するための手段】
【０００７】
本発明の一実施形態にかかる基地局管理方法は、基地局の運用モードを管理する管理方法であって、前記基地局が管理するセル内に端末が存在しないかを判断するステップと、前記セル内に前記端末が存在しない場合、ローデューティ運営モード（ｌｏｗ  ｄｕｔｙ  ｏｐｅｒａｔｉｏｎ  ｍｏｄｅ、ＬＤＭ）で動作するステップとを含む。
【０００８】
前記ＬＤＭは、信号の伝送を行う少なくとも１つの可用期間（ａｖａｉｌａｂｌｅ  ｉｎｔｅｒｖａｌ）と、信号の伝送を行わない少なくとも１つの非可用期間（ｕｎａｖａｉｌａｂｌｅ  ｉｎｔｅｒｖａｌ）とを含むことができる。
【０００９】
前記動作するステップは、前記可用期間において、ページング、伝送システム情報伝送、レンジングおよびデータトラフィック伝送のうちの少なくとも１つを行うための信号を伝送するステップを含むことができる。
前記基地局は、フェムトセルを管理するフェムト基地局を含むことができる。
【００１０】
前記動作するステップは、前記非可用期間において、前記基地局が含まれているマクロセルを管理するマクロ基地局との同期化を行うステップ、および隣接基地局からの干渉を測定するステップのうちの少なくとも１つを行うステップを含むことができる。
【００１１】
前記ＬＤＭにおいて、前記基地局が運営されるパターンに対するデフォルトＬＤＭパターンを設定するステップをさらに含むことができる。
前記デフォルトＬＤＭパターンは、前記可用期間および前記非可用期間が繰り返される。
前記基地局が前記ＬＤＭに入ると、前記デフォルトＬＤＭパターンがアクティブになる。
前記セル内にネットワークエントリ（ｎｅｔｗｏｒｋ  ｅｎｔｒｙ）を行っている端末が存在するかを判断するステップと、前記ネットワークエントリを行っている端末が存在しない場合、前記ＬＤＭで動作するステップとをさらに含むことができる。
【００１２】
本発明の他の実施形態にかかる基地局管理装置は、基地局の運用モードを管理する管理装置であって、前記基地局が管理するセル内に端末が存在するかを判断する判断部と、前記セル内に端末が存在しない場合、前記基地局をローデューティ運営モード（ｌｏｗ  ｄｕｔｙ  ｏｐｅｒａｔｉｏｎ  ｍｏｄｅ、ＬＤＭ）で動作するように制御する制御部とを含む。
前記ＬＤＭは、信号の伝送を行う少なくとも１つの可用期間（ａｖａｉｌａｂｌｅ  ｉｎｔｅｒｖａｌ）と、信号の伝送を行わない少なくとも１つの非可用期間（ｕｎａｖａｉｌａｂｌｅ  ｉｎｔｅｒｖａｌ）とを含むことができる。
【００１３】
前記ＬＤＭにおいて、前記基地局が運営されるパターンに対するデフォルトＬＤＭパターンを設定するＬＤＭパターン設定部をさらに含むことができる。
前記デフォルトＬＤＭパターンは、前記可用期間および前記非可用期間が繰り返される。
前記基地局が前記ＬＤＭに入ると、前記デフォルトＬＤＭパターンがアクティブになる。
前記デフォルトＬＤＭパターンを、前記端末のスキャニングのために、隣接基地局に送信する送信部をさらに含むことができる。
【００１４】
本発明の他の実施形態にかかる端末は、ローデューティ運営モード（ｌｏｗ  ｄｕｔｙ  ｏｐｅｒａｔｉｏｎ  ｍｏｄｅ、ＬＤＭ）において、基地局が運営されるパターンに対するデフォルトＬＤＭパターンを受信する受信部と、前記デフォルトＬＤＭパターンに基づいて、前記ＬＤＭで運営される前記基地局をスキャニングするスキャニング部とを含むことができる。
前記デフォルトＬＤＭパターンは、信号の伝送を行う少なくとも１つの可用期間（ａｖａｉｌａｂｌｅ  ｉｎｔｅｒｖａｌ）と、信号の伝送を行わない少なくとも１つの非可用期間（ｕｎａｖａｉｌａｂｌｅ  ｉｎｔｅｒｖａｌ）とを含むことができる。
【００１５】
前記スキャニング部は、前記デフォルトＬＤＭパターンに基づいて、ネットワークエントリを行うためのセルスキャニングをさらに行うことができる。
前記基地局は、フェムトセルを管理するフェムト基地局を含むことができる。
【発明の効果】
【００１６】
本発明によれば、基地局がローデューティ運営モード（ｌｏｗ  ｄｕｔｙ  ｏｐｅｒａｔｉｏｎ  ｍｏｄｅ、ＬＤＭ）で運用されている間に、端末がＬＤＭで運用される基地局の情報を受信しなくても、予め約束されたＬＤＭパターンによって周辺基地局をスキャン可能にすることにより、通信システムの信号のオーバーヘッドを低減することができる。
【図面の簡単な説明】
【００１７】
【図１】本発明の一実施形態にかかる移動通信システムを概略的に示す図である。
【図２】本発明の一実施形態にかかる基地局管理装置を概略的に示すブロック図である。
【図３】本発明の一実施形態にかかる基地局および端末のローデューティ運用モードの例を示す図である。
【図４】本発明の一実施形態にかかる基地局および端末のローデューティ運用モードの他の例を示す図である。
【図５】本発明の一実施形態にかかる端末を概略的に示すブロック図である。
【図６】本発明の一実施形態にかかる基地局および端末の運用方法を示すフローチャートである。
【発明を実施するための形態】
【００１８】
以下、添付した図面を参考にして、本発明の実施形態について、本発明の属する技術分野における通常の知識を有する者が容易に実施できるように詳細に説明する。ただし、本発明は、種々の異なる形態で実現可能であり、ここで説明する実施形態に限定されない。そして、図面において、本発明を明確に説明するために、説明上不必要な部分は省略し、明細書全体にわたって類似の部分については類似の図面符号を付した。
【００１９】
明細書全体において、ある部分がある構成要素を「含む」という時、これは、特に反対となる記載がない限り、他の構成要素を除外するのではなく、他の構成要素をさらに含むことができることを意味する。また、明細書に記載された「…部」、「…器」、「モジュール」などの用語は、少なくとも１つの機能または動作を処理する単位を意味し、これは、ハードウェアやソフトウェアまたはハードウェアおよびソフトウェアの組み合わせで実現可能である。
【００２０】
本明細書において、端末（ｔｅｒｍｉｎａｌ）は、移動局（Ｍｏｂｉｌｅ  Ｓｔａｔｉｏｎ、ＭＳ）、移動端末（Ｍｏｂｉｌｅ  Ｔｅｒｍｉｎａｌ、ＭＴ）、加入者局（Ｓｕｂｓｃｒｉｂｅｒ  Ｓｔａｔｉｏｎ、ＳＳ）、携帯加入者局（Ｐｏｒｔａｂｌｅ  Ｓｕｂｓｃｒｉｂｅｒ  Ｓｔａｔｉｏｎ、ＰＳＳ）、ユーザ装置（Ｕｓｅｒ  Ｅｑｕｉｐｍｅｎｔ、ＵＥ）、アクセス端末（Ａｃｃｅｓｓ  Ｔｅｒｍｉｎａｌ、ＡＴ）などを指し示すこともでき、端末、移動端末、加入者局、携帯加入者局、ユーザ装置、アクセス端末などの全部または一部の機能を含むこともできる。
【００２１】
本明細書において、基地局（ｂａｓｅ  ｓｔａｔｉｏｎ、ＢＳ）は、アクセスポイント（Ａｃｃｅｓｓ  Ｐｏｉｎｔ、ＡＰ）、無線アクセス局（Ｒａｄｉｏ  Ａｃｃｅｓｓ  Ｓｔａｔｉｏｎ、ＲＡＳ）、ノードＢ（Ｎｏｄｅ  Ｂ）、高度化ノードＢ（ｅｖｏｌｖｅｄ  Ｎｏｄｅ  Ｂ、ｅＮｏｄｅＢ）、送受信基地局（Ｂａｓｅ  Ｔｒａｎｓｃｅｉｖｅｒ  Ｓｔａｔｉｏｎ、ＢＴＳ）、ＭＭＲ（Ｍｏｂｉｌｅ  Ｍｕｌｔｉｈｏｐ  Ｒｅｌａｙ）−ＢＳなどを指し示すこともでき、アクセスポイント、無線アクセス局、ノードＢ、ｅＮｏｄｅＢ、送受信基地局、ＭＭＲ−ＢＳなどの全部または一部の機能を含むこともできる。
【００２２】
以下、図面を参照して、本発明の一実施形態にかかる基地局の管理装置、管理方法、端末および端末の管理方法について詳細に説明する。
図１は、本発明の一実施形態にかかる移動通信システムを概略的に示す図である。
図１を参照すると、移動通信システムは、フェムト基地局（ｆｅｍｔｏ  ｂａｓｅ  ｓｔａｔｉｏｎ）１００、１１０と、マクロ基地局（ｍａｃｒｏ  ｂａｓｅ  ｓｔａｔｉｏｎ）１２０と、端末２００とを含む。
【００２３】
フェムト基地局１００、１１０は、例えば、半径１０ｃｍ〜３０ｍの範囲の地域を対象として無線通信サービスを提供する超小型基地局を意味するものであって、例えば、家庭やビル内のように、他のセルの電波が劣化する陰影地域に設けることにより、移動通信サービスの品質を確保するためのものである。フェムト基地局１００、１１０の各々は、フェムトセル１０、１１を管理する。ここで、フェムト基地局１００、１１０およびフェムトセル１０は、フェムト（ｆｅｍｔｏ）の辞書の定義に限定されず、それより大きい単位または小さい単位の名称を有する超小型基地局および超小型セルの範囲までを含む用語である。
フェムト基地局１００、１１０は、バックボーンネットワーク（ｂａｃｋｂｏｎｅ  ｎｅｔｗｏｒｋ）として、有線インターネットネットワークで多く使用する公衆インタネット網を用いることができる。
【００２４】
マクロ基地局１２０は、マクロセル（ｍａｃｒｏ  ｃｅｌｌ）１２を管理する。マクロセル１２は、フェムトセル１０、１１を含み、フェムトセル１０、１１より大きい領域のセルを意味し、マクロという用語の辞書の定義に限定されない。
マクロ基地局１２０とフェムト基地局１００、１１０とは有線網で接続されているとよく、マクロ基地局１２０は、自身に接続されているフェムト基地局１００、１１０を管理することができる。
端末２００は、無線チャンネルの終端点で、フェムト基地局１００、１１０およびマクロ基地局１２０に接続し、データを送受信する。
【００２５】
次に、図２、図３および図４を参照して、基地局管理装置について詳細に説明する。
図２は、本発明の一実施形態にかかる基地局管理装置を概略的に示すブロック図であり、図３は、本発明の一実施形態にかかる基地局および端末のローデューティ運用モードの例を示す図であり、図４は、本発明の一実施形態にかかる基地局および端末のローデューティ運用モードの他の例を示す図である。
図２を参照すると、基地局管理装置１３０は、フェムト基地局１００、１１０またはマクロ基地局１２０に含まれており、判断部１３１と、制御部１３２と、ローデューティ運営モード（ｌｏｗ  ｄｕｔｙ  ｏｐｅｒａｔｉｏｎ  ｍｏｄｅ、ＬＤＭ）パターン設定部１３３と、送信部１３４とを含む。
【００２６】
判断部１３１は、フェムト基地局１００が管理するフェムトセル１０内に端末が存在するか否かを判断する。また、判断部１３１は、フェムトセル１０にネットワークエントリ手順を行っている端末が存在するか否かを判断する。
制御部１３２は、フェムトセル１０内に端末が存在しない場合、およびネットワークエントリ手順を行っている端末が存在しない場合に、フェムト基地局１００がＬＤＭで運用されるように制御する。
【００２７】
ＬＤＭパターン設定部１３３は、フェムト基地局１００、１１０がローデューティ運営モード（ｌｏｗ  ｄｕｔｙ  ｏｐｅｒａｔｉｏｎ  ｍｏｄｅ、ＬＤＭ）で運用される場合、ＬＤＭパターンを決定して設定する。フェムト基地局１００、１１０は、管理するセル１０、１１内に接続中の端末２００がない場合、ネットワークエントリ（ｎｅｔｗｏｒｋ  ｅｎｔｒｙ）過程中にある端末２００がない場合、セル１０、２２に接続中の端末２００がアイドルモード（ｉｄｌｅ  ｍｏｄｅ）またはスリープモード（ｓｌｅｅｐ  ｍｏｄｅ）の場合に、ＬＤＭで運用できる。
ＬＤＭパターン設定部１３３で設定するＬＤＭパターンは、デフォルトＬＤＭ（ｄｅｆａｕｌｔ  ＬＤＭ）パターン、アイドルＬＤＭパターン、およびスリープＬＤＭパターンを含む。デフォルトＬＤＭパターンは、フェムト基地局１００、１１０がＬＤＭで動作する時、周期的な可用期間を定めたパターンであって、隣接する端末２００がＬＤＭで動作するフェムト基地局１００、１１０をスキャンするために知らなければならない情報である。アイドルＬＤＭパターンおよびスリープＬＤＭパターンは、端末２００のアイドルモード（ｉｄｌｅ  ｍｏｄｅ）およびスリープモード（ｓｌｅｅｐ  ｍｏｄｅ）によって決定され、フェムト基地局１００、１１０内で運用されるパターンである。
【００２８】
送信部１３４は、ＬＤＭパターン設定部１３３で設定したＬＤＭパターンを隣接基地局１１０、１２０または端末２００に送信する。
【００２９】
図３を参照すると、アイドルモードにおいて、端末２００の運用パターン（以下、「端末のアイドルモードパターン」という。）が示されている。端末のアイドルモードパターンは、ページングリスニング期間（ｐａｇｉｎｇ  ｌｉｓｔｅｎｉｎｇ  ｉｎｔｅｒｖａｌ）と、ページング非可用期間（ｐａｇｉｎｇ  ｕｎａｖａｉｌａｂｌｅ  ｉｎｔｅｒｖａｌ）とを含む。
【００３０】
デフォルトＬＤＭパターンは、図３のように周期的に固定されたパターンであって、フェムト基地局１００で隣接基地局１１０、１２０との干渉性能と端末２００のスキャニング性能を考慮して設定でき、可用期間（ａｖａｉｌａｂｌｅ  ｉｎｔｅｒｖａｌ、ＡＩ）と、非可用期間（ｕｎａｖａｉｌａｂｌｅ  ｉｎｔｅｒｖａｌ、ＵＡＩ）とを含む。
【００３１】
デフォルトＬＤＭパターンの可用期間ＡＩは、端末２００がフェムト基地局１００との同期を合わせ、ページング、伝送システム情報伝送、レンジングおよびデータトラフィック伝送などのような信号の送受信を実行できるほどの時間以上に設定されるとよく、端末のアイドルモードパターンのページングリスニング期間と等しいか大きいとよい。
【００３２】
デフォルトＬＤＭパターンの非可用期間ＵＡＩは、フェムト基地局１００がマクロ基地局１２０と同期を合わせるか、隣接基地局１１０、１２０から干渉を測定する時間として当該業務に消費する時間以上に設定されるとよく、端末２００のスキャニング性能を考慮して設定されるとよい。また、デフォルトＬＤＭパターンの非可用期間ＵＡＩは、端末のアイドルモードパターンのページング非可用期間と等しいか小さく設定されるとよい。
【００３３】
デフォルトＬＤＭパターンは、図３とは異なり、端末２００のアイドルモードパターンに対応して設定できる。仮に、フェムト基地局１００が管理する１つ以上の端末グループのうち、マクロ基地局１２０が管理する１つ以上の端末グループと一致する端末グループがあれば、デフォルトＬＤＭパターンは、当該端末グループを含むことができる。
【００３４】
端末２００が図３のようなアイドルモードパターンを有し、フェムト基地局１００が図３のようなデフォルトＬＤＭパターンを有する時、フェムト基地局１００の可用期間ＡＩおよび非可用期間ＵＡＩは図３のように決定される。
一方、同一のアイドルモードパターンを有する複数のフェムト基地局は、デフォルトＬＤＭパターンが同一に設定されるとよく、デフォルトＬＤＭパターンは、アイドルモードパターンに対応して設定されるとよい。
【００３５】
同一の周波数割当を有する複数のフェムト基地局は、デフォルトＬＤＭパターンが同一に設定されるとよく、１つのマクロセル１２に含まれている複数のフェムト基地局１００、１１０は、デフォルトＬＤＭパターンが同一に設定されるとよい。この時、デフォルトＬＤＭパターンは、アイドルモードパターンに対応しなくてもよい。この場合には、ＬＤＭパターン設定部１３３は、アイドルＬＤＭパターンを設定することができる。アイドルＬＤＭパターンは、デフォルトＬＤＭパターンが含まない端末のアイドルモードパターンのページング可用期間およびページング非可用期間を含むことができる。
【００３６】
一方、ＬＤＭで運用されるフェムトセル１０内にスリープモードの端末２００が存在する場合、ＬＤＭパターン設定部１３３は、スリープＬＤＭパターンを設定することができる。これについて、図４を参照して詳細に説明する。
【００３７】
図４には、例えば、２つの端末がそれぞれスリープモードの場合、各端末のスリープモードパターンＳＭ１、ＳＭ２の一例が示されている。各端末のスリープモードパターンＳＭ１、ＳＭ２は、リスニングウィンドウ（ｌｉｓｔｅｎｉｎｇ  ｗｉｎｄｏｗ）およびスリープウィンドウ（ｓｌｅｅｐ  ｗｉｎｄｏｗ）を含む。この時、フェムト基地局１００のＬＤＭパターン設定部１３３で設定するスリープＬＤＭパターンは、各端末のスリープモードパターンＳＭ１、ＳＭ２を考慮して、図４に示したように決定できる。スリープＬＤＭパターンは、可用期間ＡＩおよび非可用期間ＵＡＩを含み、スリープＬＤＭパターンの可用期間ＡＩは、スリープモードパターンＳＭ１、ＳＭ２のすべてのリスニングウィンドウ（ｌｉｓｔｅｎｉｎｇ  ｗｉｎｄｏｗ）を含み、スリープＬＤＭパターンの非可用期間ＵＡＩは、スリープモードパターンＳＭ１、ＳＭ２のすべてのスリープウィンドウ（ｓｌｅｅｐ  ｗｉｎｄｏｗ）と等しく設定される。
【００３８】
この時、フェムト基地局１００のデフォルトＬＤＭパターンも、図４のように設定できる。
この時、フェムト基地局１００の可用期間ＡＩおよび非可用期間ＵＡＩは、図４のように決定される。
【００３９】
次に、図５を参照して、本発明の一実施形態にかかる端末について詳細に説明する。
図５は、本発明の一実施形態にかかる端末を概略的に示すブロック図である。
図５を参照すると、端末２００は、ＬＤＭパターン受信部２１０と、スキャニング部２３０と、スキャニングメッセージ送受信部２５０とを含む。
ＬＤＭパターン受信部２１０は、端末２００の属するフェムトセル１０を管理するフェムト基地局１００または隣接基地局１１０、１２０から、フェムト基地局１００で設定されたＬＤＭパターンを受信する。
【００４０】
スキャニング部２３０は、ＬＤＭパターン受信部２１０が受信したＬＤＭパターンにより、ＬＤＭで動作するフェムト基地局１００をスキャニングする。
スキャニングメッセージ送受信部２５０は、フェムト基地局１００、１１０またはマクロ基地局１２０とスキャニングに関連するメッセージを送受信する。スキャニングメッセージ送受信部２５０は、フェムト基地局１００、１１０またはマクロ基地局１２０から、スキャニングのためのパラメータを含むスキャニング応答メッセージＳＣＮ−ＲＳＰを受信する。スキャニング応答メッセージＳＣＮ−ＲＳＰに含まれているスキャニング期間（ｓｃａｎｎｉｎｇ  ｉｎｔｅｒｖａｌ  ｄｕｒａｔｉｏｎ）内には、デフォルトＬＤＭパターンが含む可用期間ＡＩが含まれているとよい。この時、ＬＤＭパターン受信部２１０は、別途のＬＤＭパターンを受信する必要がなく、スキャニング部２３０は、スキャニング応答メッセージＳＣＮ−ＲＳＰに含まれているデフォルトＬＤＭパターンが含む可用期間ＡＩ情報を用いて、ＬＤＭで動作するフェムト基地局１００をスキャンする。
【００４１】
一方、フェムト基地局１００のＬＤＭパターン設定部１３３が固定されたデフォルトＬＤＭパターンを用いる場合には、端末２００は、このようなデフォルトＬＤＭパターンを格納しており、スキャニング部２３０は、格納されたデフォルトＬＤＭを用いて、ＬＤＭで動作するフェムト基地局１００をスキャニングすることができる。この場合、ＬＤＭパターン受信部２１０は、ＬＤＭパターンを受信しない。
【００４２】
仮に、フェムト基地局１００のＬＤＭパターン設定部１３３が設定したデフォルトＬＤＭパターンに含まれている非可用期間ＵＡＩが非常に小さく、マクロ基地局１２０で設定するスキャニング期間内にデフォルトＬＤＭパターンの可用期間ＡＩが複数回存在すれば、マクロセル１２内の端末２００は、デフォルトＬＤＭパターン情報なしに自身の割当てられたスキャニング期間内にスキャニングを行い、ＬＤＭで動作するフェムト基地局１００をスキャンすることができる。この場合、ＬＤＭパターン受信部２１０は、ＬＤＭパターンを受信しない。
【００４３】
一方、スキャニング部２３０は、フェムト基地局１００がＬＤＭから通常モード（ｎｏｒｍａｌ  ｍｏｄｅ）に切り替えられた状態で、ＬＤＭで動作していたフェムト基地局１００をスキャニングすることができるが、これについて説明する。端末２００のスキャニングメッセージ送受信部２５０が、サービング基地局のフェムト基地局１１０およびマクロ基地局１２０にスキャニング要請メッセージＳＣＮ＿ＲＥＱを伝送してスキャニングを要請すると、サービング基地局１１０、１２０は、スキャニング応答メッセージＳＣＮ＿ＲＳＰを介して、スキャニング期間と推薦基地局識別子（ｒｅｃｏｍｍｅｎｄｅｄ  ＢＳ  ＩＤ）を割当てる。ＬＤＭで動作するフェムト基地局１００をスキャンしようとする端末が発生すると、サービング基地局１１０、１２０は、バックボーンネットワークを介して、ＬＤＭで動作しているフェムト基地局１００にＬＤＭから通常モードに切り替えることを要請する。切り替え要請を受けたフェムト基地局１００は、端末のスキャニング期間に合わせて、ＬＤＭから通常モードに切り替え、一定時間の間にダウンリンクに持続的な伝送を行う。一定時間、つまり、端末のスキャニング期間が終了すると、フェムト基地局１００は、再びＬＤＭに切り替える。端末は、サービング基地局１１０、１２０から割当てられたスキャニング期間の間にスキャンを試みた後、その結果を、サービング基地局１１０、１２０にスキャニング報告メッセージＳＣＮ＿ＲＥＰを用いて報告する。
【００４４】
一方、スキャニング部２３０は、ＬＤＭパターン受信部２１０が受信したＬＤＭパターンを用いて、ＬＤＭで動作するフェムト基地局１００のフェムトセル１０にある端末２００が、フェムトセル１０に初期ネットワークエントリ（ｉｎｉｔｉａｌ  ｎｅｔｗｏｒｋ  ｅｎｔｒｙ）を行うためのセルスキャニングを行う。つまり、ＬＤＭで動作するフェムトセル１０内にある端末２００が、オフの電源がオンになった後、マクロ基地局１２０を選択することなく、直ちにＬＤＭで動作するフェムト基地局１００を選択することができる。詳細に説明すると、端末２００のスキャニング部２３０は、ＬＤＭパターンに含まれている非可用期間ＵＡＩ以上の時間の間にセルスキャニングを行った後、セルの選択を行う。つまり、端末がＬＤＭで動作するフェムト基地局１００に初期ネットワークエントリを行うためには、デフォルトＬＤＭの可用期間ＡＩに合わせてスキャンしなければならないため、デフォルトＬＤＭの可用期間ＡＩおよび非可用期間ＵＡＩを合わせた期間以上にスキャン期間を設定する。
【００４５】
次に、図６を参照して、基地局および端末のＬＤＭ運用方法について詳細に説明する。
図６は、本発明の一実施形態にかかる基地局および端末のＬＤＭ運用方法を示すフローチャートである。
まず、フェムト基地局１００は、フェムトセル１０内にアクティブ状態の端末が存在するか、およびネットワークエントリ手順を行っているアクティブ状態の端末が存在するかを判断する（Ｓ６０１）。
【００４６】
判断の結果、フェムトセル１０内にアクティブ状態の端末が存在しない場合、およびネットワークエントリ手順を行っているアクティブ状態の端末が存在しない場合に、ＬＤＭを開始する（Ｓ６０２）。
すると、フェムト基地局１００は、ＬＤＭを初期化した後に、バックホール（ｂａｃｋｈａｕｌ）を介して、隣接基地局１１０、１２０にＬＤＭの開始およびＬＤＭ情報を送信する（Ｓ６１０）。ここで、ＬＤＭ情報は、図３および図４で説明したデフォルトＬＤＭパターンである。
【００４７】
フェムトセル１０内に端末２００がない場合には、フェムト基地局１００は、ＬＤＭで動作し、デフォルトＬＤＭパターンを使用する。
仮に、フェムトセル１０内にすべての端末２００がスリープモードの場合には、フェムト基地局１００は、ＬＤＭで動作し、図４のように、デフォルトＬＤＭパターンおよびスリープＬＤＭパターンを重畳して運用する。
仮に、フェムトセル１０内にすべての端末２００がアイドルモードの場合には、次のとおりである。
【００４８】
まず、デフォルトＬＤＭパターンに含まれている可用期間ＡＩが、フェムト基地局１００が管理するすべての端末２００のページングリスニング期間を含む場合には、フェムト基地局１００は、ＬＤＭで動作し、デフォルトＬＤＭパターンを使用する。
デフォルトＬＤＭパターンに含まれている可用期間ＡＩが、フェムト基地局１００が管理するすべての端末２００のページングリスニング期間を含まない場合には、フェムト基地局１００は、ＬＤＭで動作し、デフォルトＬＤＭパターンおよびデフォルトＬＤＭパターンの可用期間ＡＩと他のアイドルＬＤＭパターンを重畳して運用する。
【００４９】
一方、フェムトセル１０内にアイドルモードの端末とスリープモードの端末とがすべて存在する場合には、フェムト基地局１００は、ＬＤＭで動作し、デフォルトＬＤＭパターン、アイドルＬＤＭパターン、およびスリープＬＤＭパターンをすべて重畳して運用する。
【００５０】
ステップＳ６１０に続いて、隣接基地局１１０、１２０は、受信したＬＤＭ情報を端末２００にブロードキャスト（ｂｒｏａｄｃａｓｔ）またはユニキャスト（ｕｎｉｃａｓｔ）する（Ｓ６２０）。しかし、端末２００が隣接基地局１１０、１２０からスキャニング応答メッセージＳＣＮ＿ＲＳＰを介してデフォルトＬＤＭパターンの可用期間ＡＩに対して受信した場合、およびフェムト基地局１００が固定されたデフォルトＬＤＭパターンを使用し、端末２００がこれを知っている場合には、ステップＳ６２０が省略される。
端末２００は、受信したＬＤＭ情報を用いて、ＬＤＭで動作するフェムト基地局１００をスキャニングする（Ｓ６３０）。
【００５１】
仮に、端末２００がフェムトセル１０内に存在しかつスリープモードの場合には、端末はスリープモードの運用によってスリープウィンドウおよびリスニングウィンドウなどのような自らのスリープモードパターンを知っているため、フェムト基地局１００は、隣接基地局１１０、１２０を介して、デフォルトＬＤＭパターンまたはスリープＬＤＭパターンを伝送する必要がない。
【００５２】
また、端末２００がフェムトセル１０内に存在しかつアイドルモードの場合には、アイドルモードパターンを知っているため、フェムト基地局１００は、隣接基地局１１０、１２０を介して、デフォルトＬＤＭパターンまたはアイドルＬＤＭパターンを伝送する必要がない。
フェムトセル１０内にアクティブ状態（ａｃｔｉｖｅ  ｓｔａｔｅ）の端末２００が１つ以上存在する場合、フェムト基地局１００は、ＬＤＭを終了する（Ｓ６４０）。
【００５３】
一方、隣接セル１１、１２内にある端末がＬＤＭで動作しているフェムト基地局１００にハンドオーバーを要請すると、隣接基地局１１０、１２０は、バックホール（ｂａｃｋｈａｕｌ）を介して、フェムト基地局１００に通常モードに切り替えることを要請する。隣接基地局１１０、１２０から通常モードでの動作要請を受けたフェムト基地局１００は、ＬＤＭを終了する。
【００５４】
また、ＬＤＭで動作しているフェムト基地局１００が管理するフェムトセル１０内にアイドルモードまたはスリープモードの端末がアクティブ状態への切り替えを要請する時、フェムト基地局１００は、ＬＤＭを終了する。
【００５５】
ＬＤＭで動作しているフェムト基地局１００が管理するフェムトセル１０内に端末がフェムトセル１０にネットワークエントリまたはネットワーク再エントリを行う場合、フェムト基地局１００は、ＬＤＭを終了する。
フェムト基地局１００は、ＬＤＭを終了した後、バックホールを介して、隣接基地局１１０、１２０にＬＤＭが終了したという情報を知らせる（Ｓ６５０）。
隣接基地局１１０、１２０は、ＬＤＭの終了を端末２００にブロードキャストまたはユニキャストする（Ｓ６６０）。
【００５６】
以上、本発明の実施形態について詳細に説明したが、本発明の権利範囲はこれに限定されるものではなく、下記の請求の範囲で定義している本発明の基本概念を利用した当業者の様々な変形および改良形態も、本発明の権利範囲に属する。
【符号の説明】
【００５７】
１３１・・・判断部
１３２・・・制御部
１３３・・・ＬＤＭパターン設定部
１３４・・・送信部
【図１】
0005669325.tif 000002
【図２】
0005669325.tif 000003
【図３】
0005669325.tif 000004
【図４】
0005669325.tif 000005
【図５】
0005669325.tif 000006
【図６】
0005669325.tif 000007